(57)【要約】【課題】構造を大幅に簡素化して小型化、コストの低減を効果的に図り、保管・現場への持ち込みがコンパクトで、現場でのセットも簡単に行うことができ、マンホール蓋の固着状況に応じて数種の使い分けが可能であるマンホール蓋の蓋開き工具を提供する。【解決手段】マンホール蓋Ｂを跨ぐように地表面Ｌの上に載置され、てこ支点部９を備える工具本体１と、工具本体１の貫通孔８に上下移動可能に挿通され、マンホール蓋Ｂの鍵孔７に挿し込み掛止させるための掛止部１０を下端側に、この掛止部１０を引き上げるための引上げ操作部２ｂを上端側に備えている蓋引上げ部材２と、蓋引上げ部材２の引上げ操作部２ｂを引き上げるまたは回転させるために引上げ操作部２ｂに係合させて、てこ支点部９を支点に蓋引上げ部材２を引き上げるための長尺な操作杆部材３とを備えている。【選択図】図１
0003133294.tif 000002
【実用新案登録請求の範囲】
【請求項１】
マンホール蓋を跨ぐ程度の長さを有し、両側に脚部をそれぞれ備えている工具本体と、
この工具本体に開口されている貫通孔に、上下に移動可能に挿通されて前記工具本体に装着されるとともに、前記マンホール蓋の鍵孔に挿し込み掛止させるための掛止部を下端側に備え、前記掛止部を引き上げるための引上げ操作部を上端側に備えている蓋引上げ部材と、
この蓋引上げ部材の前記引上げ操作部に係合され、該引上げ操作部を回転または引き上げるための長尺な操作杆部材と、で構成されていることを特徴するマンホール蓋の蓋開き工具。
【請求項２】
前記工具本体は、前記操作杆部材によるてこの原理を利用して前記蓋引上げ部材を引き上げるときに、前記操作杆部材の一端側を掛けるための適宜の高さを有するてこ支点部を備えていることを特徴とする請求項１に記載のマンホール蓋の蓋開き工具。
【請求項３】
前記蓋引上げ部材は、前記鍵孔の口径と略同径の軸径で適宜の長さに形成されているとともに、前記掛止部を下端側に備え、上端に至る外周面には雄ネジを備えている引上げ軸部と、
この引上げ軸部の上端側に螺合連結される前記引上げ操作部と、を備え、
前記引上げ操作部は、前記工具本体の前記貫通孔から上方に突出する前記引上げ軸部の上端側に螺合連結させるための雌ネジ孔を備えている連結頭部と、前記操作杆部材の太さに相当する程度のリング内径にて前記連結頭部に起立状態で取り付けられる操作リング部と、で形成されていることを特徴とする請求項１または請求項２に記載のマンホール蓋の蓋開け工具。
【考案の詳細な説明】
【技術分野】
【０００１】
本考案は、マンホール蓋の蓋開け工具に係り、詳しくは、ガス本支管、上下水道管、そして配電線、通信線など各種ケーブルの保守点検、さらには公道などの下に構築されている地下構造物や設備などへの出入りのための縦穴となるマンホールの開口部に取り付けられているマンホール蓋を開けるために使用される蓋開け工具に関する。
【背景技術】
【０００２】
マンホール蓋は、車などの走行振動などによって不用意に外れないように、また、いたずらなどによって簡単に開けられないように、公道などの路面と略面一の状態にあるマンホール枠に対し、係止爪などを利用して係合させるなどの構造を採用してマンホールの開口部に取り付けられている。
【０００３】
ところで、マンホール蓋とマンホール枠との間の隙間には、雨水などによって泥が入り込む。また、マンホール蓋とマンホール枠との腐食などによる錆付きなどによって、マンホール蓋がマンホール枠に固着されていることが多く、そのために、マンホール蓋を開けるときには、ハンドル式やスライドハンマー式などの手持ち式蓋開け工具を用いて、点検者が前屈姿勢でマンホール蓋を取り外す作業を行っていた。
しかしながら、マンホール蓋のマンホール枠に対する固着状態が強固なときなどには、前述した手持ち式蓋工具を用いても容易に開けることができない場合があり、この場合に、無理に力を入れるなどによって、作業者が腰などを痛めるおそれがあった。
ちなみに、ハンドル式蓋開け工具は、マンホール蓋の鍵孔の中央孔部の口径より細い棒材からなる引上げ杆の下端に鍵孔の挿し込み係止させる係止部を備え、上端側に略逆向き正三角形に形成されている掴持部を備えている構造を呈しており、また、スライドハンマー式蓋開け工具は、上下の移動によりマンホール蓋に衝撃を与えるためのショックハンマー部材を、ハンドル式蓋開け工具の引上げ杆に上下摺動自在に備えている構造を呈している（例えば、特許文献１参照）。
【０００４】
そこで、マンホール蓋を機械的に開けるための種々形態の蓋開け工具が提案されている（例えば、特許文献２および特許文献３参照）。
例えば、特許文献２において記載されている蓋開け工具は、マンホール蓋の２ヶ所の鍵孔を介してマンホール蓋にそれぞれ固定される左右一対のステーを備えているとともに、この両ステーに直交して該両ステーを回動自在にそれぞれ連結してマンホール蓋の外側にそれぞれ配置される横フレームを備え、この両横フレームの両端部に固定される左右一対の縦フレームを備え、さらに、この両縦フレームにそれぞれ装着されてマンホール蓋の両側の地表面に設置される左右一対の油圧ジャッキを備えている。
これにより、マンホール蓋を油圧ジャッキによって垂直に持ち上げた後に、回転運動に変換させることにより、マンホール枠からマンホール蓋を機械的に取り外すことができるように構成されている。
【特許文献１】特開２００４−２６３４７３号公報（段落番号０００７〜０００９、及び図３、図４参照）
【特許文献２】特開平２００１−２０３０８号公報（段落番号０００８、００１０〜００１７、図１、図５、図７および図８参照）
【特許文献３】特開平９−１０４５８３号公報（段落番号００１１、図１および図２参照）
【考案の開示】
【考案が解決しようとする課題】
【０００５】
マンホール蓋を機械的に開くための前記した特許文献２に記載されている蓋開け装置は、装置をマンホール蓋に対してセットすることで、油圧ジャッキによる機械的動力によってマンホール蓋を簡単な操作により持ち上げ開くことができるなどの点から、点検者などへの労力負担は大幅に軽減されて有効ではある。しかし、その反面、この蓋開け装置は、蓋開け作業を完全機械化により行うことを前提として構成されているために、構造が複雑化することは回避できないばかりか、大型であるなどから、作業現場への持ち込みが面倒で大変である。しかも、設置に時間が掛かるなど使い勝手が悪く、また、コストが高いなどの問題も有していた。
【０００６】
そこで、本考案は、前記課題を解消するために創案されたものであり、マンホール蓋を開けるときの補助具程度の構造とすることで、構造を大幅に簡素化して小型化、コストの低減を効果的に図り、しかも、保管・現場への持ち込みがコンパクトで、現場での設置も簡単に行うことができ、さらには、マンホール蓋の固着状況に応じて数種の使い分けが可能であるなどの有利な特徴を有するマンホール蓋の蓋開き工具を提供することにある。
【課題を解決するための手段】
【０００７】
前記課題を解決するために、本考案では、マンホール蓋を跨ぐ程度の長さを有し、両側に脚部をそれぞれ備えている工具本体と、この工具本体に開口されている貫通孔に、上下に移動可能に挿通されて前記工具本体に装着されるとともに、前記マンホール蓋の鍵孔に挿し込み掛止させるための掛止部を下端側に備え、前記掛止部を引き上げるための引上げ操作部を上端側に備えている蓋引上げ部材と、この蓋引上げ部材の前記引上げ操作部に係合され、該引上げ操作部を回転または引き上げるための長尺な操作杆部材と、で構成されていることを特徴する。
【０００８】
ここで、前記蓋引上げ部材は、前記鍵孔の口径と略同径の軸径で適宜の長さに形成されているとともに、前記掛止部を下端側に備え、上端に至る外周面には雄ネジを備えている引上げ軸部と、この引上げ軸部の上端側に螺合連結される前記引上げ操作部と、を備え、前記引上げ操作部は、前記工具本体の前記貫通孔から上方に突出する前記引上げ軸部の上端側に螺合連結させるための雌ネジ孔を備えている連結頭部と、前記操作杆部材の太さに相当する程度のリング内径にて前記連結頭部に起立状態で取り付けられる操作リング部と、で形成されていることが好適なものとなる。
【０００９】
このような構成によれば、蓋引上げ部材の引上げ軸部の下端側に備えられている掛止部を、マンホール蓋の鍵孔に挿し込み掛止させた状態で、マンホール蓋を跨ぐように路面などの地表面に工具本体を載置し、工具本体から突出する引上げ軸部に螺合連結される蓋引上げ部材の操作リング部を直接掴んで回転、または、操作杆部材を用いて回転または引上げる操作を行う。これにより、マンホール蓋の鍵孔に挿し込み掛止されている掛止部に、引上げ軸部を介して上方への引上げ作用が伝わり、この引上げ作用によってマンホール蓋が徐々に持ち上げられる。
【００１０】
つまり、引上げ操作部を回すことで、この引上げ操作部の連結頭部に螺合連結されている引上げ軸部が工具本体の貫通孔から徐々に上昇され、その引上げ作用によってマンホール蓋が徐々に持ち上げられて、マンホール枠の固着状態が解除される。
【００１１】
また、本考案では、前記工具本体が、前記操作杆部材によるてこの原理を利用して前記蓋引上げ部材を引き上げるときに、前記操作杆部材の一端側を掛けるための適宜の高さを有するてこ支点部を備えていることを特徴とする。
【００１２】
このような構成によれば、前記したように、操作杆部材を用いて蓋引上げ部材を引き上げるときに、操作杆部材の一端側を、蓋引上げ操作部の操作リング部に通して工具本体から突設されているてこ支点部に掛けることで、このてこ支点部を支点として操作杆部の他端側をてこの原理を利用して持ち上げ、マンホール蓋の鍵孔に挿し込み掛止されている掛止部に、上方への引上げ作用を伝えることができる。
つまり、てこの原理を利用して掛止部に引上げ作用を伝えて、マンホール枠との固着状態を徐々に解除しつつマンホール蓋を持ち上げることができる。
【考案の効果】
【００１３】
本考案に係るマンホール蓋の蓋開け工具は、以上のように構成されているので、点検者などがマンホール蓋を開けるときに重労働となっているマンホール蓋のマンホール枠に対する固着解除を機械的に手助けして、作業労力を軽減することができる。
また、工具本体、蓋引上げ部材、操作杆部とからなる構成であり、従来の蓋開け工具に比べて構造が大幅に簡素化され、小型化されている。これにより、コストの低減を効果的に図ることができ、しかも、使用しないときの保管時や現場への持ち込み時にコンパクトな収納性を得ることができる。また、現場でのセットも簡単に行うことができる。更には、マンホール蓋の固着状況に応じて数種の使い分けが可能になる。
【考案を実施するための最良の形態】
【００１４】
以下、本考案の実施形態について、適宜図面を参照しながら詳細に説明する。
図１は、本考案の実施形態に係る蓋開け工具を示す斜視図であり、図２は、現場においてマンホール蓋を跨ぐように蓋開け工具をセットした状態を示す斜視図であり、図３は、一部を断面して示す側面図である。
【００１５】
≪蓋開け工具の構成≫
蓋開け工具Ａは、図１に示すように、マンホール蓋Ｂを跨ぐように地表面Ｌに載置される工具本体１と、この工具本体１に上下貫通で移動可能に備えられる蓋引上げ部材２と、この蓋引上げ部材２の後記する引上げ操作部材２ｂを引き上げまたは回転させるための操作杆部材３とを備えて構成されている。
【００１６】
ちなみに、マンホール蓋Ｂは、鋳物やその他の金属材料に成形されている。そして、マンホール蓋Ｂは、図１に示すように、平面視で円形形状を呈している場合には、円周縁の一ヶ所に回り止め用の係止凸部４を備え、この係止凸部４を係合させるための係止凹部５を、リングまたは円筒形状を呈しているマンホール枠Ｃ側に備えている。これにより、マンホール蓋Ｂは回らないようにマンホール枠Ｃに取り付けられるようになっている。
【００１７】
また、マンホール蓋Ｂは、蓋裏側における中心を通る対角線上の円周縁の２ヶ所に、下向きで、かつ、外向きにそれぞれ備えられている略Ｌ字形状の係止爪６を備えている（後記の図６および図７参照）。これにより、係止爪６を、マンホール枠Ｃ側に備えられている２ヶ所の開放凹欠部（図示省略）に対して位置合わせさせて、該開放凹欠部を通過させた状態で、マンホール蓋Ｂを回して係止凸部４を係止凹部５に係合させることで、マンホール蓋Ｂをマンホールの開口部に取り付けるようにしている。
つまり、マンホール蓋Ｂを開けるときには、まず始めに、係止凹部５に対する係止凸部４の係合状態を解除するように、マンホール蓋Ｂを少し持ち上げ、この状態で、マンホール蓋Ｂを回して開放凹欠部に係止爪６を位置合わせさせるための一連の操作を必要とする。
これにより、車などの走行振動などによってマンホール蓋が不用意に外れないように、また、いたずらなどによって簡単に開けられないようにしている。
【００１８】
≪工具本体の構成≫
工具本体１は、マンホール蓋Ｂを跨ぐように、マンホール蓋Ｂの直径より長く、適宜の幅に形成されている。本実形態では、適宜の幅を有し断面が略コ型形状を呈しているチャンネル材を用いて形成しているとともに、短辺両側には脚部１ａを備えている。
これにより、マンホール蓋Ｂを跨ぐように、路面などの地表面Ｌに載置させたときに、裏面側がマンホール蓋Ｂに接することなく、適宜の間隔をおいて載置されるようにしている（図２および図３参照）。
【００１９】
また、工具本体１は、マンホール蓋Ｂを跨いだ状態で、マンホール蓋Ｂの２ヶ所に開口されている鍵孔７のうち、一ヶ所の鍵孔７の開口軸芯線上に位置させて貫通孔８を備えている。
この貫通孔８は、鍵孔７の口径にて工具本体１に開口され、蓋引上げ部材２の後記する引上げ軸部２ａを、上下貫通状で移動可能に挿通させるものである。
【００２０】
また、工具本体１は、図１〜図３に示すように、てこ支点部９を備えている。このてこ支点部９は、図２および図３に示すように、操作杆部材３の一端側を掛けるためのものであり、工具本体１の短辺方向にわたるように適宜の高さにて突設されている。
ちなみに、このてこ支点部９の高さは特に限定されるものではないが、例えば、図２および図３に示すように、引上げ操作部２ｂの後記する操作リング部１５に操作杆部材３の一端側を挿通させたときに、当該一端側を掛ける（載承する）ことができる程度の高さに設定することが好適なものとなる。
【００２１】
≪蓋引上げ部材の構成≫
蓋引上げ部材２は、図１および図３に示すように、工具本体１の貫通孔８に上下貫通状で移動可能に挿通される引上げ軸部２ａと、この引上げ軸部２ａの上端側に螺合連結される引上げ操作部２ｂとを備えて構成されている。
【００２２】
≪引上げ軸部の構成≫
引上げ軸部２ａは、鍵孔７および貫通孔８の口径と略同径の軸径で、図３に示すように、マンホール蓋Ｂの裏面側から工具本体１の表面側に突出する長さに形成されている。そして、この引上げ軸部２ａは、図１に示すように、下端側に掛止部１０を備えているとともに、上端に至る外周面には雄ネジ１１を備えている。
これにより、引上げ軸部２ａは、鍵孔７からマンホール蓋Ｂの裏面に挿通させて該裏面に掛止部１０を掛止させた状態で、ワッシャ１２、ナット１３を用いてマンホール蓋Ｂに下端側を係脱自在に締結し得るようにしている。また、その上端側を、工具本体１の貫通孔８から表面側へ突出させて、引上げ操作部２ｂの後記する連結頭部１４を着脱自在に螺合連結し得るようにしている。
【００２３】
≪引上げ操作部の構成≫
引上げ操作部２ｂは、図１〜図３に示すように、引上げ軸部２ａの上端側に螺合より連結させるための連結頭部１４と、この連結頭部１４に起立状態で取り付けられる操作リング部１５とを備えて形成されている。
連結頭部１４は、貫通させた雌ネジ孔１６を備える略台形形状に形成され、貫通孔８から工具本体１に表面に突出される引上げ軸部２ａにねじ込み連結されるようにしている。
操作リング部１５は、操作杆部材３が挿通できる程度のリング内径に形成されて連結頭部１４に溶接やその他の固着手段により取り付けられる。
【００２４】
マンホール蓋Ｂを開けるときには、点検者などは、工具本体１の表面から突出させた引上げ軸部２ａに連結頭部１４をねじ込み連結させ、操作リング部１５を持って回転させることで、連結頭部２ａをねじ込み方向に回転させて引上げ軸部２ａを引き上げる。または、操作杆部材３の一端側を操作リング部１５に挿通させて、操作杆部材３を持って連結頭部１４をねじ込み方向に回して、引上げ軸部２ａを引き上げる（図５参照）。さらには、操作リング部１５に挿通させた操作杆部材３の一端側をてこ支点部９に掛けて、てこの原理を利用して、引上げ軸部２ａを引き上げる（図６参照）。これによって、マンホール蓋Ｂを引き上げて、マンホール枠Ｃとの固着状態を解除することができる。
【００２５】
≪操作杆部材の構成≫
操作杆部材３は、操作リング部１５に挿通し得る太さ（外径）を有する棒材やパイプ材などを用いて適宜の長さを有する長尺状に形成されているとともに、一端側には操作リング部１５への挿通をスムーズに行うことができるように一回りほど細く形成されている細杆部１７を備えている。
【００２６】
［蓋開け工具の使い方の説明］
つぎに、以上のように構成されている本実施形態に係る蓋開け工具の現場における使い方の一例について簡単に説明する。
図４の（ａ）は、蓋引上げ部材の引上げ軸部をマンホール蓋の鍵孔を挿通させてワッシャ、ナットで締結させて取り付けた状態を示す斜視図であり、図４の（ｂ）は、マンホール蓋を跨ぐように工具本体を載置させた後に、工具本体の表面に突出する引上げ軸部に引上げ操作部をねじ込み連結させた状態を示す斜視図である。
まず、図４の（ａ）に示すように、引上げ軸部２ａの掛止部１０をマンホール蓋Ｂの鍵孔７から裏面側に挿し込み、９０°回して掛止部１０を裏面に掛止させるとともに、この掛止状態を維持するように、ワッシャ１２を介してナット１３で引上げ軸部２ａの下端側を締め付け締結させる。
つぎに、図４の（ｂ）に示すように、マンホール蓋Ｂを跨ぐように工具本体１を載置する。このとき、引上げ軸部２ａを貫通孔８から表面に突出させ、引上げ軸部２ａに連結頭部１４をねじ込んで引上げ操作部２ｂを引上げ軸部２ａに取り付ける。
このようにして、工具本体１、蓋引上げ部材２をマンホール蓋Ｂの上に設置させた後、まず、操作リング部１５を直接掴んで、操作リング部１５を連結頭部１４の引上げ軸部２ａに対するねじ込み方向（図４（ｂ）の矢印方向）に回してみる。操作リング部１５を締付け方向に継続して手先だけで回すことができた場合、マンホール蓋Ｂのマンホール枠Ｃに対する固着状態が解除され、マンホール蓋Ｂをそのまま開けることができる。
【００２７】
図５は、操作杆部材を利用して、蓋引上げ部材の引上げ操作部を回すときの状態を示す斜視図である。
一方、操作リング部１５を直接掴んでの回転操作が無理である場合には、図５に示すように、操作リング部１５に操作杆部材３の細杆部１７を挿通させ、操作杆部材３を利用して引上げ操作部２ｂを締め付け方向に回し、マンホール蓋Ｂのマンホール枠Ｃに対する固着状態を解除させることができる。
【００２８】
図６は、操作杆部材によるてこの原理を利用して蓋引上げ部材を引き上げるときの状態を示す側面図である。
また、操作リング部１５に挿通させた操作杆部材３の細杆部１７を、図６の（ａ）に示すように、工具本体１のてこ支点部９に掛けた状態で、（ｂ）および（ｃ）に示すように、てこ支点部９への掛け部を支点にして操作杆部材３の他端側を上方に持ち上げる、所謂てこの原理によって蓋引上げ部材２を引き上げることによって、マンホール蓋Ｂのマンホール枠Ｃに対する固着状態を解除することができる。
【００２９】
図７は、本実施形態に係る蓋開き工具に加えて、補助的に小型ジャッキを利用する場合の状態を示す側面図である。本実施形態に係る蓋開き工具Ａでは、前記の図５の回転操作および図６のてこの原理を利用した引上げによってマンホール蓋Ｂのマンホール枠Ｃに対する固着状態を解除することができなかった場合などには、図７に示すように、操作杆部材３の他端側を下から押し上げるように、工具本体１の上に小型ジャッキ１８をセットすることで、小型ジャッキ１８の空圧または油圧を利用して蓋引上げ部材２を引き上げて、マンホール蓋Ｂのマンホール枠Ｃに対する固着状態を解除することができる。
【００３０】
このように構成されている本実施形態の蓋開き工具Ａによれば、図４〜図６に示すように、蓋引上げ部材２の引上げ軸部２ａの掛止部１０を、マンホール蓋Ｂの鍵孔７に挿し込み掛止させた状態で、マンホール蓋Ｂを跨ぐように路面などの地表面Ｌに工具本体１を載置し、工具本体１から突出する引上げ軸部２ａに螺合連結される蓋引上げ部材２ｂの操作リング部１５を直接掴んで回転、または、操作杆部材３を用いて回転または引上げる操作を行う。
【００３１】
これにより、マンホール蓋Ｂの鍵孔７に挿し込み掛止されている掛止部１０に、引上げ軸部２ａを介して上方への引上げ作用が伝わり、この引上げ作用によってマンホール蓋Ｂが徐々に持ち上げられ（例えば、図６の（ｂ）および（ｃ）を参照）、マンホール蓋Ｂのマンホール枠Ｃに対する固着状態を解除することができる。
【００３２】
なお、本考案の実施形態の具体的な構成は、前記した実施形態に限られるものではなく、請求項１から請求項３に記載の本考案の要旨を逸脱しない範囲で設計変更などがあっても本考案に含まれるものである。
例えば、操作杆部材３によるてこの原理を利用して蓋引上げ部材２を引き上げるときに、操作杆部材３の他端側を図６に示すように、持ち上げるのでなく、押し下げる方向のてこの原理を利用して蓋引上げ部材２を引き上げるようにしてもよい。この場合には、てこ支点部９を、蓋引上げ部材２の引上げ操作部２ｂの後方位置（図３において紙面左側位置）に設けることになる。
この場合、てこ支点部９の高さは、図３に示す状態よりも高くすることが必要となる。また、操作杆部材３の細杆部１７には、操作リング部が不用意に離脱しないように、リング掛け凹部など設けることが好適なものとなる。
また、てこ支点部９の上辺部を水平な状態から弓なりに湾曲、または、凹みを設けるなどによって操作杆部材３を掛け状態の安定化を図るなどの工夫をすることができる。
【図面の簡単な説明】
【００３３】
【図１】本考案の実施形態に係る蓋開け工具を示す斜視図である。
【図２】現場においてマンホール蓋を跨ぐように蓋開け工具をセットした状態を示す斜視図である。
【図３】一部を破断して示す蓋開け工具の側面図である。
【図４】蓋開け装置を、現場においてセットするときの手順を示す斜視図であり、（ａ）は、蓋引上げ部材の引上げ軸部をマンホール蓋の鍵孔を挿通させてワッシャ、ナットで締結させて取り付けた状態を示す斜視図であり、（ｂ）は、マンホール蓋を跨ぐように工具本体を載置させた後に、工具本体の表面に突出する引上げ軸部に引上げ操作部をねじ込み連結させた状態を示す斜視図である。
【図５】操作杆部材を利用して蓋引上げ部材の引上げ操作部を、回すときの状態を示す斜視図である。
【図６】操作杆部材によるてこの原理を利用して蓋引上げ部材を引き上げるときの状態を示す側面図である。
【図７】本実施形態に係る蓋開き工具に加えて、この蓋開き工具による蓋開けするときに補助するための小型ジャッキを利用する場合の状態を示す側面図である。
【符号の説明】
【００３４】
Ａ：蓋開け工具      １：工具本体      １ａ：脚部          ２：蓋引上げ部材
２ａ：引上げ杆部    ２ｂ：引上げ操作部    ３：操作杆部材    ７：鍵孔
８：貫通孔          ９：てこ支点部      １０:掛止部       １１：雄ネジ
１４：連結頭部      １５：操作リング部  １６：雌螺子孔      Ｂ：マンホール蓋
Ｃ：マンホール枠
【図１】
0003133294.tif 000003
【図２】
0003133294.tif 000004
【図３】
0003133294.tif 000005
【図４】
0003133294.tif 000006
【図５】
0003133294.tif 000007
【図６】
0003133294.tif 000008
【図７】
0003133294.tif 000009